(57)【要約】【課題】  従来の照明式表示装置は、光量が不足したり、明るさにムラがあったり、大型で重くコスト高となったりしていた。【解決手段】  表示板の背面側に投射空間を備え、投射空間の側方に光源を備え、その光源から投射空間に投射された光により表示板が背面から照射されるようにした。表示板の背面側に散乱板をも備え、散乱板の背面側を投射空間とすることもできる。反射材を配置し、この反射材と前記表示板又は散乱板との間に投射空間を設け、光源から投射空間に投射された光が反射材で反射されて表示板又は散乱板に入射するようにすることもできる。表示板を標識が表示された透光板単体とするか又は透光板の外側に標識が開口表示された標識表示板を重ねたものとすることができる。表示板、光源、散乱板を所望形状のフレームに取り付けて独立型としたり、或は建物内外のドア、壁等の部材に組み込んで部材内蔵型としたりすることもできる。【選択図】図２
2007232790.tif 000002
【特許請求の範囲】
【請求項１】
光源からの光を表示板の背面から照射して表示板を照明する照明式表示装置において、表示板の背面側に投射空間を備え、投射空間の側方に光源を備え、その光源から投射空間に投射された光により表示板が背面から照射されることを特徴とする照明式表示装置。
【請求項２】
光源からの光を表示板の背面から照射して表示板を照明する照明式表示装置において、表示板の背面側に散乱板を備え、散乱板の背面側を投射空間にし、投射空間の側方に光源を備え、その光源から投射空間に投射されて散乱板内で散乱する光で表示板が背面から照射されることを特徴とする照明式表示装置。
【請求項３】
請求項１又は請求項２記載の照明式表示装置において、表示板又は散乱板の背面側に表示板から離して反射材を配置し、この反射材と前記表示板又は散乱板との間に投射空間を設け、光源から投射空間に投射された光が反射材で反射されて表示板又は散乱板に入射するようにしたことを特徴とする照明式表示装置。
【請求項４】
請求項１ないし請求項３のいずれかに記載の照明式表示装置において、表示板が、標識が表示された透光板単体であるか、又は透光板の外側に、標識が開口表示された標識表示板を重ねたものであることを特徴とする照明式表示装置。
【請求項５】
請求項１ないし請求項４のいずれかに記載の照明式表示装置において、表示板と光源を、又は表示板及び散乱板と光源を、所望形状のフレームに取り付けて独立型とし、或は建物内外の部材に組み込んで部材内蔵型としたことを特徴とする照明式表示装置。
【発明の詳細な説明】
【技術分野】
【０００１】
本発明は背面からの光で表示板を照明する照明式表示装置に関するものであり、広告・宣伝用看板や案内看板、建物内の非常口表示、ドアサイン、チャンネル文字等の標識、エレベータの階数表示盤等として使用可能なものである。
【背景技術】
【０００２】
照明式表示装置は従来から各種あり、その一つとして図８に示すようなものがある。この照明式表示装置は両面照明式であり、方形の枠Ａの内側に片面にＶ字型の溝Ｄが格子状に形成された導光板Ｃが二枚背中合わせに重ねて配置され、導光板Ｃの外側に表示板Ｅが配置され、枠Ａの内側に取付けたＬＥＤ（光源）Ｂからの光を夫々の導光板Ｃに照射すると、その光が導光板Ｃ内を透過し、溝Ｄで散乱して表示板Ｅを背面から照明するようにしてある。表示板Ｅは、板状部材に限らず、フィルム状部材であっても良い。
【発明の開示】
【発明が解決しようとする課題】
【０００３】
図８に示す従来の照明式表示装置は次のような課題がある。
（１）光源Ｂからの光が導光板Ｃ内を透過するため、光量が導光板Ｃ内で減衰し、照明が不足しがちであり、それを補うために高出力の光源が必要になる。
（２）導光板Ｃは一般に８ｍｍ〜１０ｍｍと厚く、重いため、それを使用した照明式表示装置も厚く且つ重くなり扱いにくくなる。特に、両面照明式の場合は導光板Ｃが二枚になるため照明式表示装置がより一層厚くなり重くなるという課題もある。
（３）導光板Ｃは一般に高価であるため完成した照明式表示装置もコスト高となる。
【課題を解決するための手段】
【０００４】
本発明は光が散乱し易く、少ない光量で効率良く照明でき、しかも、薄型、軽量、安価な照明式表示装置を提供するものである。
【０００５】
本件出願の照明式表示装置は、請求項１記載のように、光源からの光を表示板の背面から照射して表示板を照明する照明式表示装置において、表示板の背面側に投射空間を備え、投射空間の側方に光源を備え、その光源から投射空間に投射された光により表示板が背面から照射されるようにしたものである。請求項２記載のように、表示板の背面側に散乱板をも備え、散乱板の背面側を投射空間にし、投射空間の側方に光源を備え、その光源から投射空間に投射されて散乱板内で散乱する光で表示板が背面から照射されるようにすることもできる。請求項３記載のように、表示板又は散乱板の背面側に表示板から離して反射材を配置し、この反射材と前記表示板又は散乱板との間に投射空間を設け、光源から投射空間に投射された光が反射材で反射されて表示板又は散乱板に入射するようにすることもできる。請求項４記載のように、表示板を標識が表示された透光板単体とするか又は透光板の外側に文字、数字、記号、符号、矢印、図形等々（これらをまとめて「標識」という。）が抜き文字、抜き絵等として開口表示された標識表示板を重ねたものとすることができる。
【０００６】
本件出願の照明式表示装置は、請求項５記載のように表示板と光源を、又は表示板及び散乱板と光源を所望形状のフレームに取り付けて独立型としたり、或は建物内外のドア、壁、エレベータといった部材に組み込んで部材内蔵型としたりすることもできる。
【発明の効果】
【０００７】
本件出願の請求項１〜請求項５記載の照明式表示装置は次のような効果がある。
（１）表示板又は散乱板の背面側に投射空間を設け、その側方に光源を設けたため、光源からの光が投射空間を通して表示板又は反射体に入射するため、表示板全面を均一に照明することができる。
（２）投射空間を設けたので、従前の導光板の側面に投射する場合よりも軽量化することできる。
（３）表面表示板用と裏面表示板用の二つの光源を設けなくとも、表裏両面の表示板を均等に照明できるため構造がシンプルになり、光源の数が少なくて済み、コストも低減する。
【０００８】
本件出願の請求項２記載の照明式表示装置は、表示板の背面にプリズム板、拡散板等の散乱板を配置したため次のような効果がある。
（１）光源からの光が散乱板で確実に散乱されるため表示板全面が均一に照明される。
（２）散乱板は従来の導光板に比して薄いため光の減衰が少なく、少ない光量で表示板を十分明るく照明でき、照明式表示装置を薄型、軽量にすることもできる。
（３）プリズム板、拡散板は従来の導光板に比べて安価であるため照明式表示装置のコスト減にも資する。
【０００９】
本件出願の請求項３記載の照明式表示装置は、表示板又は散乱板の背面から離して反射材を配置したので、反射材で反射された光も表示板又は散乱板に入射するので、片面照明型であっても表示板を明るく照明することができる。
【００１０】
本件出願の請求項４記載の照明式表示装置は、表示板が、標識が表示された透光板単体であるか又は透光板の外側に標識が開口表示された標識表示板を重ねたものであるため次のような効果がある。
（１）表示板が透光板単体の場合は照明式表示装置の構造が簡潔になる。
（２）表示板が透光板に標識表示板を重ねたものの場合は、透光板が材質によって、或は表面が凹凸しているために文字、数字、記号、符号、矢印、図形等々の標識を印刷したり標識を印刷したフィルムを貼り付けたりしにくいもの或はできないものであっても、貼り付けたりせず（表示板に表示せず）、標識板を開口して標識を抜き文字、抜き模様等で表示することができる。
【００１１】
本件出願の請求項５記載の照明式表示装置は次のような効果がある。
（１）光源と表示板、光源と表示板と反射板をフレームに取り付けて独立型とした照明式表示装置の場合は、室外の所望箇所に設置して広告・宣伝用看板として使用するとか、室内のドアの上の壁に取付けてドアサインや出口表示としたり、室内の廊下や非常階段の近くに取り付けて非常階段サインとして使用したりすることができる。
（２）光源と表示板、光源と表示板と反射板を建物内外の部材、例えば、室内の壁、床、天井、窓、エレベータ等々に取り付けて部材内蔵型とした照明式表示装置の場合は、照明式表示装置がドアや壁面の外側に突出しないため体裁がよく、邪魔にもならない。また、照明式表示装置が薄型であるため建物内外の部材に組み込んでもそれら部材が格別厚くならず標準仕様にすることができる。
【発明を実施するための最良の形態】
【００１２】
（実施形態１）
本発明の照明式表示装置の実施形態の一例を図１〜図３に基づいて説明する。この照明式表示装置は表裏両側を表示面とする両面照明型の表示装置である。本発明の照明式表示装置は散乱板に従来の導光板よりも薄いプリズム板や拡散板等を使用できるがこの実施形態はプリズム板を使用し、光源にＬＥＤを使用した場合である。
【００１３】
図１に示す照明式表示装置は方形のフレーム１の対向する二辺の内側面にモジュール化されたＬＥＤ（光源）２が取付けられ（図３）、フレーム１の表裏両外面３、４とその外周に配置固定した周枠９との間にプリズム板（散乱板）６、表示板７、標識板８がフレーム１側から外側に順次積層配置され、それら散乱板６、表示板７、標識板８の外周縁部がフレーム１とそれに取付けた周枠９との間にきつく挟まれて固定されている。この場合、対向する二枚の散乱板６の間に投射空間１０が形成され、光源２が投射空間１０の側方に配置されて光源２からの光が投射空間１０内に投射されるようにしてある。
【００１４】
前記フレーム１は金属製、樹脂製、木製等の任意の材料製とすることができる。フレーム１の対向する内面には多数のＬＥＤ（光源）２が細長い基板１１に一定間隔で取り付けられたＬＥＤモジュール１２が取付けられている。ＬＥＤは基板ではなくテープに取付けてモジュール化することもできる。ＬＥＤはモジュール化せずに一個ずつ個別にフレーム１に取付けることもできる。ＬＥＤの取付け数、間隔、発光色等は任意に選択することができ、二以上の発光色を組合せて取り付けることもできる。
【００１５】
前記散乱板６は図２に示すように四角形の透光板の一方の片面全般にプリズム形状の凹凸が縦横に規則的に多数列形成されてプリズム面１３が形成され、他方の面１４が平面となっている。本発明では既存のプリズム板或はそれを改良したプリズム板を使用することができる。散乱板６は光を全方向に散乱させることができるものであるためその凹凸から照射された光は散乱板６全般から均一に照射され、表示板７の全面が均一に照射される。散乱板６はアクリル、ガラス等であることが光透過率の点から望ましいが他の材質製としてもよい。この実施形態では散乱板６を透明としてあるが着色したものを用いることもできる。散乱板６は２ｍｍ〜５ｍｍ程度の厚さであるが、照明式表示装置の薄型化の面からはそれよりも薄いものが好ましい。図１、図３では散乱板６のプリズム面１３を投射空間１０側に向けて配置して、光源２から投射空間１０に投射された光がプリズム面１３から散乱板６に投射するようにしてあるが、場合によってはそれとは反対に、プリズム面１３を表示板７側に向けて配置することもできる。
【００１６】
前記表示板７は透光性の板材であり、その形状、厚さ、サイズ、材質、色等は任意に選択できるが、この実施形態ではアクリル樹脂製の曇りガラスのような色合いで、散乱板６と同じサイズの四角形で、厚さ２ｍｍ〜５ｍｍ程度である。
【００１７】
前記標識板８には図２に示すように矢印型の模様（標識）１５が切り抜かれて（抜き模様）表示されており、表示板７の上に重ねるとその切り抜き模様１５から外部に露出している標識板８の下の表示板７が光源２からの光で照明されるようにしてある。標識板８の形状、厚さ、サイズ、材質、色等も任意に選択できるが、この実施形態では非透光性の金属板や透光性であるが透光しにくい着色樹脂板等が使用され、散乱板６と同じサイズの四角形で厚さ１ｍｍ〜２ｍｍ程度にしてある。
【００１８】
前記周枠９は方形であり、図２、図３に示すように、側板１６と上板１７と下板１８を備えた断面形状コ字形の枠材１９を方形に組み合わせて内面開口の中空状に形成されており、側板１６がフレーム１の外周にビス等で固定されてフレーム１と側板１６の間、フレーム１と上板１７の間に、重ねた散乱板６、表示板７、標識板８の外周縁部がきつく挟まれて固定されている。この場合、対向する二枚の散乱板６の間に投射空間１０が形成され、その投射空間１０に光源２からの光が投射されるようにしてある。周枠９は金属製、樹脂製、木製等任意の材料製とすることができる。
【００１９】
実施形態１の照明式表示装置は室外や室内に取り付けて使用する。その場合、光源２を点灯させると光源２からの光が投射空間１０に投射され、その光が散乱板６でその全面に散乱され、散乱板６を透過した散乱光で表示板７がその背面から照射され、表示板７を透過した光が標識板８に開口された矢印の抜き模様１５から外部に出射して矢印の標識が明るく照明される。
【００２０】
（実施形態２）
本発明の照明式表示装置の第２の実施形態を図４に基づいて説明する。この照明式表示装置は片面照明型であり、基本的構成は実施形態１の両面照明型と同じであり、異なるのは図３における表示板７をフレーム１の片側だけに配置したこと、表示板７の背面に重ねた散乱板６から離してシート状或は板状の反射材２０を配置したことである。反射材２０には例えばホワイトフィルムを使用することができる。ホワイトフィルムは内面が反射面で外面に光が透過しないものである。また、反射材２０としてプリズム板とか拡散板を使用することもできる。その場合はプリズム板又は拡散板の背面（それらの外側面）に光が透過しない裏板を配置して光の無駄を防止し反射面からの反射効率を高めるのがよい。前記散乱板６と表示板７と標識板８は、その外周縁部がフレーム１とその外周に取付けられた周枠９の間に挟まれて固定されている。
【００２１】
実施形態２の照明式表示装置も室外や室内に取り付けて使用することができる。光源２を点灯させると光源２からの光が投射空間１０に投射され、その光が散乱板６でその全面に散乱される。又反射材２０で反射された光も散乱板６に入射し散乱板６でその全面に散乱されて散乱光で表示板７の背面から照射される。表示板７を透過した光は標識板８に開口された矢印の抜き模様１５から外部に出射して矢印の標識が明るく照明される。
【００２２】
（実施形態３）
本発明の照明式表示装置では、散乱板６、標識板８、反射材２０は必ずしも必要ではない。散乱板６を設けない場合は光源２から投射空間１０に投射された光は直接表示板７を照射する。標識板８を設けない場合は表示板７に文字、数字、記号、図形等の標識を直接表示する。その表示は印刷、吹き付け、標識が表示されたシールの貼り付けといった任意の方法で行なうことができる。
【００２３】
（実施形態４）
前記実施形態の照明式表示装置のフレームは方形であるが、フレームの形状は他の形状、例えば、図５（ａ）に示す円形、図５（ｂ）に示すＳ字形、その他に、星形、数字、記号等の所望形状にすることができ、その場合は、散乱板６、表示板７、標識板８、周枠９等の照明式表示装置の各部品もフレーム１の形状に合った形状にする。このようにすることにより照明式表示装置自体を文字（チャンネル文字）、記号、他の装飾形状をしたデザインにすることができる。
【００２４】
（実施形態５）
前記した実施形態はいずれも光源２、散乱板６、表示板７、標識板８等をフレーム１に装備し、それらの四周を周枠９で被覆して独立した看板形式にし、そのまま室外に設置したり室内に取り付けたりできるようにしてあるが、本願発明の照明式表示装置は光源２、散乱板６、表示板７、標識板８等を室外のドア、室内の壁、エレベータといった部材３０に組み込んで部材内蔵型とすることもできる。図６は部材内蔵型照明式表示装置の一例として光源２、散乱板６、表示板７、標識板８等を前記部材３０の開口部内に内蔵した例、図７はドア４０の表裏面に貫通した開口部に内蔵した例である。図６の場合は散乱板６、表示板７、標識板８が部材３０の内面にしかないため片面型照明式表示装置となるが、図７の場合は散乱板６、表示板７、標識板８が部材３０の内外両面にあるため両面型照明式表示装置となる。
【００２５】
これら内蔵型の場合は光源２、散乱板６、表示板７、標識板８等が装備されたフレーム１を部材３０内に内蔵することもできるが、フレーム１を使用せずに光源２、散乱板６、表示板７、標識板８等を部材３０に直接装備することもできる。図６の場合は部材（壁）３０の一部を切除した収容空間３１を形成し、その収容空間３１の内面上壁３２と内面下壁３３にＬＥＤ２のモジュール１２を取り付け、収容空間３１の奥壁に反射材３４を配置し、収容空間３１の手前開口部に散乱板６、表示板７、標識板８を配置してある。図７の場合は部材（ドア）３０を厚さ方向（表裏両面）に貫通させて収容空間３１を開口し、その収容空間３１の内面上壁３２と内面下壁３３に対向させてＬＥＤモジュール１２を取り付け、その両外側に散乱板６、表示板７、標識板８とを夫々配置してある。
【産業上の利用可能性】
【００２６】
本発明の照明式表示装置は、広告・宣伝用看板や案内看板、非常口表示やドアサイン等の標識、エレベータの階数表示ボタン等の埋設式の表示装置等、表示装置として広く応用することができる。
【図面の簡単な説明】
【００２７】
【図１】本発明の照明式表示装置の実施形態（両面を表示面とする看板式表示装置）の一例を示す斜視図。
【図２】図１に示す照明式表示装置の分解斜視図。
【図３】図１に示す照明式表示装置の断面図。
【図４】本発明の照明式表示装置の実施形態（片面を表示面とする看板式表示装置）の他の一例を示す断面図。
【図５】（ａ）、（ｂ）は、本発明の照明式表示装置の実施形態の他の一例を示す平面図。
【図６】本発明の照明式表示装置の実施形態（片面を表示面とする埋め込み式表示装置）の他の一例を示す断面図。
【図７】本発明の照明式表示装置の実施形態（両面を表示面とする埋め込み式表示装置）の他の一例を示す断面図。
【図８】従来の照明式表示装置を示す断面説明図。
【符号の説明】
【００２８】
１  フレーム
２  光源（ＬＥＤ）
６  散乱板（プリズム板）
７  表示板
８  標識板
９  周枠
１０  投射空間
１１  基板
１２  モジュール
１３  プリズム面
１５  模様
２０  反射材
【図１】
2007232790.tif 000003
【図２】
2007232790.tif 000004
【図３】
2007232790.tif 000005
【図４】
2007232790.tif 000006
【図５】
2007232790.tif 000007
【図６】
2007232790.tif 000008
【図７】
2007232790.tif 000009
【図８】
2007232790.tif 000010
【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
表示板に表示された標識を表示板の背面側から光照射する照明式表示装置において、表示板が表面側に又は表面側と背面側とに配置され、前者においては表示板の背面側に、後者においては両表示板の間に投射空間が設けられ、投射空間の側方に光源が設けられ、その光源から投射空間に投射された光により前記表示板の標識が表示板の背面から照明されることを特徴とする照明式表示装置。
【請求項２】
表示板に表示された標識を表示板の背面側から光照射する照明式表示装置において、表示板とその背面に配置された散乱板とが表面側に又は表面側と背面側とに配置され、前者においては散乱板の背面側に、後者においては両散乱板の間に投射空間が設けられ、投射空間の側方に光源を備え、その光源から投射空間に投射された光が前記散乱板で散乱されて前記表示板の標識を背面から照明することを特徴とする照明式表示装置。
【請求項３】
請求項１又は請求項２記載の照明式表示装置において、表示板又は散乱板の背面側に表示板又は散乱板から離して反射材を配置し、この反射材と前記表示板又は散乱板との間に投射空間を設け、光源から投射空間に投射された光が反射材で反射されて表示板又は散乱板に入射するようにしたことを特徴とする照明式表示装置。
【請求項４】
請求項１ないし請求項３のいずれかに記載の照明式表示装置において、表示板が、標識が表示された透光板単体であるか、又は透光板の外側に、標識が開口表示された標識表示板を重ねたものであることを特徴とする照明式表示装置。
【請求項５】
請求項１ないし請求項４のいずれかに記載の照明式表示装置において、表示板と光源を、又は表示板及び散乱板と光源を、所望形状のフレームに取り付けて独立型とし、或は建物内外の部材に組み込んで部材内蔵型としたことを特徴とする照明式表示装置。
【手続補正２】
【補正対象書類名】明細書
【補正対象項目名】全文
【補正方法】変更
【補正の内容】
【発明の詳細な説明】
【技術分野】
【０００１】
本発明は背面からの光で表示板を照明する照明式表示装置に関するものであり、広告・宣伝用看板や案内看板、建物内の非常口表示、ドアサイン、チャンネル文字等の標識、エレベータの階数表示盤等として使用可能なものである。
【背景技術】
【０００２】
照明式表示装置は従来から各種あり、その一つとして図８に示すようなものがある。この照明式表示装置は両面照明式であり、方形の枠Ａの内側に片面にＶ字型の溝Ｄが格子状に形成された導光板Ｃが二枚背中合わせに重ねて配置され、導光板Ｃの外側に表示板Ｅが配置され、枠Ａの内側に取付けたＬＥＤ（光源）Ｂからの光を夫々の導光板Ｃに照射すると、その光が導光板Ｃ内を透過し、溝Ｄで散乱して表示板Ｅを背面から照明するようにしてある。表示板Ｅは、板状部材に限らず、フィルム状部材であっても良い。
【発明の開示】
【発明が解決しようとする課題】
【０００３】
図８に示す従来の照明式表示装置は次のような課題がある。
（１）光源Ｂからの光が導光板Ｃ内を透過するため、光量が導光板Ｃ内で減衰し、照明が不足しがちであり、それを補うために高出力の光源が必要になる。
（２）導光板Ｃは一般に８ｍｍ〜１０ｍｍと厚く、重いため、それを使用した照明式表示装置も厚く且つ重くなり扱いにくくなる。特に、両面照明式の場合は導光板Ｃが二枚になるため照明式表示装置がより一層厚くなり重くなるという課題もある。
（３）導光板Ｃは一般に高価であるため完成した照明式表示装置もコスト高となる。
【課題を解決するための手段】
【０００４】
本発明は光が散乱し易く、少ない光量で効率良く照明でき、しかも、薄型、軽量、安価な照明式表示装置を提供するものである。
【０００５】
本件出願の照明式表示装置は、請求項１記載のように、表示板に表示された標識を表示板の背面側から光照射する照明式表示装置において、表示板が表面側に又は表面側と背面側とに配置され、前者においては表示板の背面側に、後者においては両表示板の間に投射空間が設けられ、投射空間の側方に光源が設けられ、その光源から投射空間に投射された光により前記表示板の標識が表示板の背面から照明されるようにしたものである。請求項２記載のように、表示板とその背面に配置された散乱板とが表面側に又は表面側と背面側とに配置され、前者においては散乱板の背面側に、後者においては両散乱板の間に投射空間が設けられ、投射空間の側方に光源を備え、その光源から投射空間に投射された光が前記散乱板で散乱されて前記表示板の標識を背面から照明するようにすることもできる。請求項３記載のように、表示板又は散乱板の背面側に表示板又は散乱板から離して反射材を配置し、この反射材と前記表示板又は散乱板との間に投射空間を設け、光源から投射空間に投射された光が反射材で反射されて表示板又は散乱板に入射するようにすることもできる。請求項４記載のように、表示板を標識が表示された透光板単体とするか又は透光板の外側に文字、数字、記号、符号、矢印、図形等々（これらをまとめて「標識」という。）が抜き文字、抜き絵等として開口表示された標識表示板を重ねたものとすることができる。
【０００６】
本件出願の照明式表示装置は、請求項５記載のように、表示板と光源を、又は表示板及び散乱板と光源を所望形状のフレームに取り付けて独立型としたり、或は建物内外のドア、壁、エレベータといった部材に組み込んで部材内蔵型としたものである。
【発明の効果】
【０００７】
本件出願の請求項１〜請求項５記載の照明式表示装置は次のような効果がある。
（１）表示板又は散乱板の背面側に投射空間を設け、その側方に光源を設けたため、光源からの光が投射空間を通して表示板又は反射体に入射するため、表示板全面を均一に照明することができる。
（２）投射空間を設けたので、従前の導光板の側面に投射する場合よりも軽量化することできる。
（３）表面表示板用と背面表示板用の二つの光源を設けなくとも、表裏両面の表示板を均等に照明できるため構造がシンプルになり、光源の数が少なくて済み、コストも低減する。
【０００８】
本件出願の請求項２記載の照明式表示装置は、表示板の背面にプリズム板、拡散板等の散乱板を配置したため次のような効果がある。
（１）光源からの光が散乱板で確実に散乱されるため表示板全面が均一に照明される。
（２）散乱板は従来の導光板に比して薄いため光の減衰が少なく、少ない光量で表示板を十分明るく照明でき、照明式表示装置を薄型、軽量にすることもできる。
（３）プリズム板、拡散板は従来の導光板に比べて安価であるため照明式表示装置のコスト減にも資する。
【０００９】
本件出願の請求項３記載の照明式表示装置は、表示板又は散乱板の背面から離して反射材を配置したので、反射材で反射された光も表示板又は散乱板に入射するので、片面照明型であっても表示板を明るく照明することができる。
【００１０】
本件出願の請求項４記載の照明式表示装置は、表示板が、標識が表示された透光板単体であるか又は透光板の外側に標識が開口表示された標識表示板を重ねたものであるため次のような効果がある。
（１）表示板が透光板単体の場合は照明式表示装置の構造が簡潔になる。
（２）表示板が透光板に標識表示板を重ねたものの場合は、透光板が材質によって、或は表面が凹凸しているために文字、数字、記号、符号、矢印、図形等々の標識を印刷したり標識を印刷したフィルムを貼り付けたりしにくいもの或はできないものであっても、貼り付けたりせず（表示板に表示せず）、標識板を開口して標識を抜き文字、抜き模様等で表示することができる。
【００１１】
本件出願の請求項５記載の照明式表示装置は次のような効果がある。
（１）光源と表示板、光源と表示板と反射板をフレームに取り付けて独立型とした照明式表示装置の場合は、室外の所望箇所に設置して広告・宣伝用看板として使用するとか、室内のドアの上の壁に取付けてドアサインや出口表示としたり、室内の廊下や非常階段の近くに取り付けて非常階段サインとして使用したりすることができる。
（２）光源と表示板、光源と表示板と反射板を建物内外の部材、例えば、室内の壁、床、天井、窓、エレベータ等々に取り付けて部材内蔵型とした照明式表示装置の場合は、照明式表示装置がドアや壁面の外側に突出しないため体裁がよく、邪魔にもならない。また、照明式表示装置が薄型であるため建物内外の部材に組み込んでもそれら部材が格別厚くならず標準仕様にすることができる。
【発明を実施するための最良の形態】
【００１２】
（実施形態１）
本発明の照明式表示装置の実施形態の一例を図１〜図３に基づいて説明する。この照明式表示装置は表裏両側を表示面とする両面照明型の表示装置である。本発明の照明式表示装置は散乱板に従来の導光板よりも薄いプリズム板や拡散板等を使用できるがこの実施形態はプリズム板を使用し、光源にＬＥＤを使用した場合である。
【００１３】
図１に示す照明式表示装置は方形のフレーム１の対向する二辺の内側面にモジュール化されたＬＥＤ（光源）２が取付けられ（図３）、フレーム１の表裏両外面３、４とその外周に配置固定した周枠９との間にプリズム板（散乱板）６、表示板７、標識板８がフレーム１側から外側に順次積層配置され、それら散乱板６、表示板７、標識板８の外周縁部がフレーム１とそれに取付けた周枠９との間にきつく挟まれて固定されている。この場合、対向する二枚の散乱板６の間に投射空間１０が形成され、光源２が投射空間１０の側方に配置されて光源２からの光が投射空間１０内に投射されるようにしてある。
【００１４】
前記フレーム１は金属製、樹脂製、木製等の任意の材料製とすることができる。フレーム１の対向する内面には多数のＬＥＤ（光源）２が細長い基板１１に一定間隔で取り付けられたＬＥＤモジュール１２が取付けられている。ＬＥＤは基板ではなくテープに取付けてモジュール化することもできる。ＬＥＤはモジュール化せずに一個ずつ個別にフレーム１に取付けることもできる。ＬＥＤの取付け数、間隔、発光色等は任意に選択することができ、二以上の発光色を組合せて取り付けることもできる。
【００１５】
前記散乱板６は図２に示すように四角形の透光板の一方の片面全般にプリズム形状の凹凸が縦横に規則的に多数列形成されてプリズム面１３が形成され、他方の面１４が平面となっている。本発明では既存のプリズム板或はそれを改良したプリズム板を使用することができる。散乱板６は光を全方向に散乱させることができるものであるためその凹凸から照射された光は散乱板６全般から均一に照射され、表示板７の全面が均一に照射される。散乱板６はアクリル、ガラス等であることが光透過率の点から望ましいが他の材質製としてもよい。この実施形態では散乱板６を透明としてあるが着色したものを用いることもできる。散乱板６は２ｍｍ〜５ｍｍ程度の厚さであるが、照明式表示装置の薄型化の面からはそれよりも薄いものが好ましい。図１、図３では散乱板６のプリズム面１３を投射空間１０側に向けて配置して、光源２から投射空間１０に投射された光がプリズム面１３から散乱板６に投射するようにしてあるが、場合によってはそれとは反対に、プリズム面１３を表示板７側に向けて配置することもできる。
【００１６】
前記表示板７は透光性の板材であり、その形状、厚さ、サイズ、材質、色等は任意に選択できるが、この実施形態ではアクリル樹脂製の曇りガラスのような色合いで、散乱板６と同じサイズの四角形で、厚さ２ｍｍ〜５ｍｍ程度である。
【００１７】
前記標識板８には図２に示すように矢印型の模様（標識）１５が切り抜かれて（抜き模様）表示されており、表示板７の上に重ねるとその切り抜き模様１５から外部に露出している標識板８の下の表示板７が光源２からの光で照明されるようにしてある。標識板８の形状、厚さ、サイズ、材質、色等も任意に選択できるが、この実施形態では非透光性の金属板や透光性であるが透光しにくい着色樹脂板等が使用され、散乱板６と同じサイズの四角形で厚さ１ｍｍ〜２ｍｍ程度にしてある。
【００１８】
前記周枠９は方形であり、図２、図３に示すように、側板１６と上板１７と下板１８を備えた断面形状コ字形の枠材１９を方形に組み合わせて内面開口の中空状に形成されており、側板１６がフレーム１の外周にビス等で固定されてフレーム１と側板１６の間、フレーム１と上板１７の間に、重ねた散乱板６、表示板７、標識板８の外周縁部がきつく挟まれて固定されている。この場合、対向する二枚の散乱板６の間に投射空間１０が形成され、その投射空間１０に光源２からの光が投射されるようにしてある。周枠９は金属製、樹脂製、木製等任意の材料製とすることができる。
【００１９】
実施形態１の照明式表示装置は室外や室内に取り付けて使用する。その場合、光源２を点灯させると光源２からの光が投射空間１０に投射され、その光が散乱板６でその全面に散乱され、散乱板６を透過した散乱光で表示板７がその背面から照射され、表示板７を透過した光が標識板８に開口された矢印の抜き模様１５から外部に出射して矢印の標識が明るく照明される。
【００２０】
（実施形態２）
本発明の照明式表示装置の第２の実施形態を図４に基づいて説明する。この照明式表示装置は片面照明型であり、基本的構成は実施形態１の両面照明型と同じであり、異なるのは図３における表示板７をフレーム１の片側だけに配置したこと、表示板７の背面に重ねた散乱板６から離してシート状或は板状の反射材２０を配置したことである。反射材２０には例えばホワイトフィルムを使用することができる。ホワイトフィルムは内面が反射面で外面に光が透過しないものである。また、反射材２０としてプリズム板とか拡散板を使用することもできる。その場合はプリズム板又は拡散板の背面（それらの外側面）に光が透過しない裏板を配置して光の無駄を防止し反射面からの反射効率を高めるのがよい。前記散乱板６と表示板７と標識板８は、その外周縁部がフレーム１とその外周に取付けられた周枠９の間に挟まれて固定されている。
【００２１】
実施形態２の照明式表示装置も室外や室内に取り付けて使用することができる。光源２を点灯させると光源２からの光が投射空間１０に投射され、その光が散乱板６でその全面に散乱される。又反射材２０で反射された光も散乱板６に入射し散乱板６でその全面に散乱されて散乱光で表示板７の背面から照射される。表示板７を透過した光は標識板８に開口された矢印の抜き模様１５から外部に出射して矢印の標識が明るく照明される。
【００２２】
（実施形態３）
本発明の照明式表示装置では、散乱板６、標識板８、反射材２０は必ずしも必要ではない。散乱板６を設けない場合は光源２から投射空間１０に投射された光は直接表示板７を照射する。標識板８を設けない場合は表示板７に文字、数字、記号、図形等の標識を直接表示する。その表示は印刷、吹き付け、標識が表示されたシールの貼り付けといった任意の方法で行なうことができる。
【００２３】
（実施形態４）
前記実施形態の照明式表示装置のフレームは方形であるが、フレームの形状は他の形状、例えば、図５（ａ）に示す円形、図５（ｂ）に示すＳ字形、その他に、星形、数字、記号等の所望形状にすることができ、その場合は、散乱板６、表示板７、標識板８、周枠９等の照明式表示装置の各部品もフレーム１の形状に合った形状にする。このようにすることにより照明式表示装置自体を文字（チャンネル文字）、記号、他の装飾形状をしたデザインにすることができる。
【００２４】
（実施形態５）
前記した実施形態はいずれも光源２、散乱板６、表示板７、標識板８等をフレーム１に装備し、それらの四周を周枠９で被覆して独立した看板形式にし、そのまま室外に設置したり室内に取り付けたりできるようにしてあるが、本願発明の照明式表示装置は光源２、散乱板６、表示板７、標識板８等を室外のドア、室内の壁、エレベータといった部材３０に組み込んで部材内蔵型とすることもできる。図６は部材内蔵型照明式表示装置の一例として光源２、散乱板６、表示板７、標識板８等を前記部材３０の開口部内に内蔵した例、図７はドア４０の表背面に貫通した開口部に内蔵した例である。図６の場合は散乱板６、表示板７、標識板８が部材３０の内面にしかないため片面型照明式表示装置となるが、図７の場合は散乱板６、表示板７、標識板８が部材３０の内外両面にあるため両面型照明式表示装置となる。
【００２５】
これら内蔵型の場合は光源２、散乱板６、表示板７、標識板８等が装備されたフレーム１を部材３０内に内蔵することもできるが、フレーム１を使用せずに光源２、散乱板６、表示板７、標識板８等を部材３０に直接装備することもできる。図６の場合は部材（壁）３０の一部を切除した収容空間３１を形成し、その収容空間３１の内面上壁３２と内面下壁３３にＬＥＤ２のモジュール１２を取り付け、収容空間３１の奥壁に反射材３４を配置し、収容空間３１の手前開口部に散乱板６、表示板７、標識板８を配置してある。図７の場合は部材（ドア）３０を厚さ方向（表裏両面）に貫通させて収容空間３１を開口し、その収容空間３１の内面上壁３２と内面下壁３３に対向させてＬＥＤモジュール１２を取り付け、その両外側に散乱板６、表示板７、標識板８とを夫々配置してある。
【産業上の利用可能性】
【００２６】
本発明の照明式表示装置は、広告・宣伝用看板や案内看板、非常口表示やドアサイン等の標識、エレベータの階数表示ボタン等の埋設式の表示装置等、表示装置として広く応用することができる。
【図面の簡単な説明】
【００２７】
【図１】本発明の照明式表示装置の実施形態（両面を表示面とする看板式表示装置）の一例を示す斜視図。
【図２】図１に示す照明式表示装置の分解斜視図。
【図３】図１に示す照明式表示装置の断面図。
【図４】本発明の照明式表示装置の実施形態（片面を表示面とする看板式表示装置）の他の一例を示す断面図。
【図５】（ａ）、（ｂ）は、本発明の照明式表示装置の実施形態の他の一例を示す平面図。
【図６】本発明の照明式表示装置の実施形態（片面を表示面とする埋め込み式表示装置）の他の一例を示す断面図。
【図７】本発明の照明式表示装置の実施形態（両面を表示面とする埋め込み式表示装置）の他の一例を示す断面図。
【図８】従来の照明式表示装置を示す断面説明図。
【符号の説明】
【００２８】
１  フレーム
２  光源（ＬＥＤ）
６  散乱板（プリズム板）
７  表示板
８  標識板
９  周枠
１０  投射空間
１１  基板
１２  モジュール
１３  プリズム面
１５  模様
２０  反射材